(57)【要約】【課題】  周波数オフセットの推定期間を短縮する。【解決手段】  無線装置２２は、無線ネットワークでのチャネルが割り当てられた端末装置１０との通信を実行する。そのため、無線装置２２は、変復調機能等を有する。制御装置２４は、無線装置２２でのチャネルに対する呼制御機能を有する。すなわち、制御装置２４は、無線装置２２でのチャネルと公衆網１４でのチャネルとを接続する。ハンドオーバの際に、制御装置２４は、記憶された無線装置オフセット値をもとに、装置間オフセット値を導出し、これに切替元オフセット値を反映させることによって、切替先オフセット値を導出する。制御装置２４は、切替先オフセット値を第２無線装置２２ｂに通知する。【選択図】  図２
2006246159.tif 000002
【特許請求の範囲】
【請求項１】
無線ネットワークでのチャネルを割り当てることによって、端末装置との通信をそれぞれ実行する複数の無線装置と、
一端において前記複数の無線装置を接続し、他端において通信網を接続しつつ、かつ前記複数の無線装置のそれぞれでの無線ネットワークのチャネルと、前記通信網でのチャネルとを接続する制御装置とを備え、
前記制御装置は、
前記複数の無線装置のそれぞれにおける発振周波数と基準の発振周波数との間の複数の第１オフセットの値と、前記複数の無線装置のうちの第１無線装置と通信している端末装置と第１無線装置との間の発振周波数の第２オフセットの値を記憶する記憶部と、
端末装置が第２無線装置との通信を要求する際に、前記記憶部に記憶された複数の第１オフセットの値をもとに、第１無線装置と第２無線装置との間の発振周波数のオフセットの値を導出しつつ、第２オフセットの値を反映させることによって、端末装置と第２無線装置との間の発振周波数のオフセットの値を導出する導出部と、
前記導出部によって導出された端末装置と第２無線装置との間の発振周波数のオフセットの値を第２無線装置に通知する通知部と、
を備えることを特徴とする基地局システム。
【請求項２】
無線ネットワークでのチャネルを割り当てることによって、端末装置との通信をそれぞれ実行する複数の無線装置を一端に接続し、通信網を他端に接続しつつ、かつ前記複数の無線装置のそれぞれでの無線ネットワークのチャネルと、前記通信網でのチャネルとを接続する通信部と、
前記複数の無線装置のそれぞれにおける発振周波数と基準の発振周波数との間の複数の第１オフセットの値と、前記複数の無線装置のうちの第１無線装置と通信している端末装置と第１無線装置との間の発振周波数の第２オフセットの値を記憶する記憶部と、
端末装置が第２無線装置との通信を要求する際に、前記記憶部に記憶された複数の第１オフセットの値をもとに、第１無線装置と第２無線装置との間の発振周波数のオフセットの値を導出しつつ、第２オフセットの値を反映させることによって、端末装置と第２無線装置との間の発振周波数のオフセットの値を導出する導出部とを備え、
前記通信部は、前記導出部によって導出された端末装置と第２無線装置との間の発振周波数のオフセットの値を第２無線装置に通知することを特徴とする制御装置。
【請求項３】
基準の発振周波数を有した信号を発振する発振部をさらに備え、
前記通信部は、前記複数の無線装置のそれぞれに、基準の発振周波数を有した信号を出力し、かつ前記複数の無線装置から、前記複数の無線装置のそれぞれにおける第１オフセットの値を受けつけ、受けつけた第１オフセットの値を前記記憶部に記憶させることを特徴とする請求項２に記載の制御装置。
【請求項４】
前記複数の無線装置のうちのひとつにおける発振周波数が、基準の発振周波数として規定されており、
前記通信部は、前記複数の無線装置のうちのひとつから、基準の発振周波数を有した信号を受けつけ、当該信号を他の無線装置に出力する手段と、前記複数の無線装置から、前記複数の無線装置のそれぞれにおける第１オフセットの値を受けつけ、受けつけた第１オフセットの値を前記記憶部に記憶させる手段とを含むことを特徴とする請求項２に記載の制御装置。
【請求項５】
前記導出部は、前記通信部を介して、前記端末装置による第２無線装置との通信の要求を受けつけたときに、端末装置と第２無線装置との間の発振周波数のオフセットの値を導出することを特徴とする請求項２から４のいずれかに記載の制御装置。
【請求項６】
前記記憶部は、第１無線装置と通信している端末装置に関する情報も記憶しており、
前記通信部は、前記記憶部に記憶された端末装置に関する情報を第２無線装置に通知することを特徴とする請求項５に記載の制御装置。
【請求項７】
複数の無線装置のそれぞれが、無線ネットワークのチャネルを端末装置に割り当てるステップと、
一端において、複数の無線装置と有線ネットワークを介して接続され、かつ他端において、通信網と接続された制御装置が、無線ネットワークでのチャネルと、通信網でのチャネルとを接続するステップと、
前記有線ネットワークを介して、前記複数の無線装置のうちの第１無線装置と通信している端末装置から、第２無線装置との通信の要求を受けつけるステップと、
前記複数の無線装置のそれぞれにおける発振周波数と基準の発振周波数との間の複数の第１オフセットの値と、端末装置と第１無線装置との間の発振周波数の第２オフセットの値を記憶したメモリを参照しながら、第１無線装置と第２無線装置との間の発振周波数のオフセットの値を導出しつつ、第２オフセットの値を反映させることによって、端末装置と第２無線装置との間の発振周波数のオフセットの値を導出するステップと、
を備えることを特徴とする周波数オフセット推定方法。
【請求項８】
有線ネットワークを介して接続した複数の無線装置のそれぞれにおける無線ネットワークでのチャネルと、通信網でのチャネルとを接続し、その結果をメモリに記憶するステップと、
前記有線ネットワークを介して、前記複数の無線装置のうちの第１無線装置と通信している端末装置から、第２無線装置との通信の要求を受けつけるステップと、
前記複数の無線装置のそれぞれにおける発振周波数と基準の発振周波数との間の複数の第１オフセットの値と、端末装置と第１無線装置との間の発振周波数の第２オフセットの値を記憶したメモリを参照しながら、第１無線装置と第２無線装置との間の発振周波数のオフセットの値を導出しつつ、第２オフセットの値を反映させることによって、端末装置と第２無線装置との間の発振周波数のオフセットの値を導出するステップと、
前記有線ネットワークを介して、端末装置と第２無線装置との間の発振周波数のオフセットの値を第２無線装置に通知するステップと、
をコンピュータに実行させるためのプログラム。
【発明の詳細な説明】
【技術分野】
【０００１】
本発明は、周波数オフセット推定技術に関し、特にふたつの装置間における周波数オフセットを推定する周波数オフセット推定方法ならびにそれを利用した制御装置および基地局システムに関する。
【背景技術】
【０００２】
第二世代コードレス電話システムのような無線通信システムは、基地局装置と端末装置によって構成される。このような無線通信システムでは、サービスエリアの拡大と、周波数の有効利用が望まれる。そのため、ひとつの基地局装置によるサービスエリアがある程度小さくされ、かつ周波数を繰り返し利用した基地局装置が複数配置される。このような状況下において端末装置が移動する場合、ハンドオーバが実行される。無線通信システムのサービス性を向上させるために、ハンドオーバの際の無音期間の短縮、すなわちハンドオーバの高速化が要求されている。そこで、切替元の基地局装置が端末装置に切替先の無線チャネルを通知することによって、ハンドオーバの高速化が図られている（例えば、特許文献１参照。）。
【特許文献１】特開平９−１６３４３２号公報
【発明の開示】
【発明が解決しようとする課題】
【０００３】
一般的に、端末装置と基地局装置のそれぞれには、発振器が備えられている。また、端末装置と基地局装置のコストを抑えるために、安定性のある程度低い発振器が使用されている。そのため、端末装置と基地局装置との間の発振周波数には、オフセットが存在し、また複数の基地局装置間の発振周波数にも、オフセットが存在している。そのため、ハンドオーバの際に、端末装置と切替先の基地局装置との間の発振周波数のオフセットが、補償されなければならない。第二世代コードレス電話システムでは、ハンドオーバの際に、切替元の基地局装置から切替先の基地局装置へ、端末装置の情報が引き継がれない。そのため、発呼手順と同様にリンク確率手順から開始する再発呼型ハンドオーバが実行される。端末装置と切替先の基地局装置との間の発振周波数のオフセットが推定されるときに、初期値「０」の状態から開始されれば、一般的に、推定期間が長くなり、あるいは推定精度が低くなる。
【０００４】
第二世代コードレス電話システムの基地局装置は、端末装置に対してデータを送受信する機能（以下、「送受信機能」という）を有する。さらに、基地局装置は、通信網とも接続しており、端末装置に割り当てるスロットと、通信網でのチャネルとを接続する機能（以下、「呼制御機能」という）も有する。すなわち、基地局装置は、複数のスロットによって構成されるフレームを規定しており、端末装置に所定のスロットを割り当てることによって、端末装置との通信を実現する。また、端末装置と通信網との間においてデータを中継する。なお、呼制御の機能には、秘匿鍵の設定等も含まれる。近年、基地局装置の構成の簡易化等を目的として、このような基地局装置の機能を複数の装置に分離することが提案されている。
【０００５】
すなわち、基地局装置が、無線装置と制御装置に分離される。ここで、基地局装置の送受信機能が無線装置に搭載され、基地局装置の呼制御機能が制御装置に搭載される。なお、無線装置と制御装置は、ＬＡＮケーブルのような有線ケーブルにて接続されるが、ひとつの制御装置に複数の無線装置を接続することによって、システム全体の構成も簡易化できる。その際、制御装置は、複数の無線装置に対する呼制御を実行する。このような構成においても、ハンドオーバの際に周波数オフセットの補償が要求される。
【０００６】
本発明はこうした状況に鑑みてなされたものであり、その目的は、周波数オフセットの推定の特性を向上させる周波数オフセット推定技術を提供することにある。
【課題を解決するための手段】
【０００７】
上記課題を解決するために、本発明のある態様の基地局システムは、無線ネットワークでのチャネルを割り当てることによって、端末装置との通信をそれぞれ実行する複数の無線装置と、一端において複数の無線装置を接続し、他端において通信網を接続しつつ、かつ複数の無線装置のそれぞれでの無線ネットワークのチャネルと、通信網でのチャネルとを接続する制御装置とを備える。制御装置は、複数の無線装置のそれぞれにおける発振周波数と基準の発振周波数との間の複数の第１オフセットの値と、複数の無線装置のうちの第１無線装置と通信している端末装置と第１無線装置との間の発振周波数の第２オフセットの値を記憶する記憶部と、端末装置が第２無線装置との通信を要求する際に、記憶部に記憶された複数の第１オフセットの値をもとに、第１無線装置と第２無線装置との間の発振周波数のオフセットの値を導出しつつ、第２オフセットの値を反映させることによって、端末装置と第２無線装置との間の発振周波数のオフセットの値を導出する導出部と、導出部によって導出された端末装置と第２無線装置との間の発振周波数のオフセットの値を第２無線装置に通知する通知部と、を備える。
【０００８】
「チャネル」とは、一般的に、ふたつの無線装置の間において通信を行うために設定される無線通信路のことを示す。具体的に、ＦＤＭＡ（Ｆｒｅｑｕｅｎｃｙ  Ｄｉｖｉｓｉｏｎ  Ｍｕｌｔｉｐｌｅ  Ａｃｃｅｓｓ）の場合は特定の周波数帯域を指し、ＴＤＭＡ（Ｔｉｍｅ  Ｄｉｖｉｓｉｏｎ  Ｍｕｌｔｉｐｌｅ  Ａｃｃｅｓｓ）の場合は特定のタイムスロットまたはスロットを指し、ＣＤＭＡ（Ｃｏｄｅ  Ｄｉｖｉｓｉｏｎ  Ｍｕｌｔｉｐｌｅ  Ａｃｃｅｓｓ）の場合は特定の符号系列を指す。ここでは、これらのうちのいずれであってもよいものとする。
【０００９】
この態様によると、制御装置が、端末装置と第２無線装置との間の発振周波数のオフセットの値を導出してから第２無線装置に通知するので、第２無線装置が、導出されたオフセットの値を初期値として使用すれば、第２無線装置での周波数オフセットの推定の特性を向上できる。
【００１０】
本発明の別の態様は、制御装置である。この装置は、無線ネットワークでのチャネルを割り当てることによって、端末装置との通信をそれぞれ実行する複数の無線装置を一端に接続し、通信網を他端に接続しつつ、かつ複数の無線装置のそれぞれでの無線ネットワークのチャネルと、通信網でのチャネルとを接続する通信部と、複数の無線装置のそれぞれにおける発振周波数と基準の発振周波数との間の複数の第１オフセットの値と、複数の無線装置のうちの第１無線装置と通信している端末装置と第１無線装置との間の発振周波数の第２オフセットの値を記憶する記憶部と、端末装置が第２無線装置との通信を要求する際に、記憶部に記憶された複数の第１オフセットの値をもとに、第１無線装置と第２無線装置との間の発振周波数のオフセットの値を導出しつつ、第２オフセットの値を反映させることによって、端末装置と第２無線装置との間の発振周波数のオフセットの値を導出する導出部とを備える。通信部は、導出部によって導出された端末装置と第２無線装置との間の発振周波数のオフセットの値を第２無線装置に通知する。
【００１１】
この態様によると、端末装置と第２無線装置との間の発振周波数のオフセットの値を導出してから第２無線装置に通知するので、第２無線装置が、導出されたオフセットの値を初期値として使用すれば、第２無線装置での周波数オフセットの推定の特性を向上できる。
【００１２】
基準の発振周波数を有した信号を発振する発振部をさらに備え、通信部は、複数の無線装置のそれぞれに、基準の発振周波数を有した信号を出力し、かつ複数の無線装置から、複数の無線装置のそれぞれにおける第１オフセットの値を受けつけ、受けつけた第１オフセットの値を記憶部に記憶させてもよい。この場合、予め第１オフセットの値を記憶させるので、必要に応じて、第１オフセットの値を使用できる。
【００１３】
複数の無線装置のうちのひとつにおける発振周波数が、基準の発振周波数として規定されており、通信部は、複数の無線装置のうちのひとつから、基準の発振周波数を有した信号を受けつけ、当該信号を他の無線装置に出力する手段と、複数の無線装置から、複数の無線装置のそれぞれにおける第１オフセットの値を受けつけ、受けつけた第１オフセットの値を記憶部に記憶させる手段を含めてもよい。この場合、ひとつの無線装置における発振周波数を基準の発振周波数とするので、基準の発振周波数を出力させるための発振器を不要にできる。
【００１４】
導出部は、通信部を介して、端末装置による第２無線装置との通信の要求を受けつけたときに、端末装置と第２無線装置との間の発振周波数のオフセットの値を導出してもよい。「通信の要求」は、要求と認識できるような形態の信号であればよく、明示的に要求が示された信号に限らず、他の用途の信号であっても、間接的に要求と認識できればよい。
【００１５】
記憶部は、第１無線装置と通信している端末装置に関する情報も記憶しており、通信部は、記憶部に記憶された端末装置に関する情報を第２無線装置に通知してもよい。この場合、端末装置に関する情報として、第２無線装置が端末装置と接続するために必要な情報が記憶されていれば、第２無線装置と端末装置とが接続する際の制御信号の少なくとも一部を省略できる。
【００１６】
本発明のさらに別の態様は、周波数オフセット推定方法である。この方法は、複数の無線装置のそれぞれが、無線ネットワークのチャネルを端末装置に割り当てるステップと、一端において、複数の無線装置と有線ネットワークを介して接続され、かつ他端において、通信網と接続された制御装置が、無線ネットワークでのチャネルと、通信網でのチャネルとを接続するステップと、有線ネットワークを介して、複数の無線装置のうちの第１無線装置と通信している端末装置から、第２無線装置との通信の要求を受けつけるステップと、複数の無線装置のそれぞれにおける発振周波数と基準の発振周波数との間の複数の第１オフセットの値と、端末装置と第１無線装置との間の発振周波数の第２オフセットの値を記憶したメモリを参照しながら、第１無線装置と第２無線装置との間の発振周波数のオフセットの値を導出しつつ、第２オフセットの値を反映させることによって、端末装置と第２無線装置との間の発振周波数のオフセットの値を導出するステップと、を備える。
【００１７】
基準の発振周波数を有した信号を発振するステップと、複数の無線装置のそれぞれに、基準の発振周波数を有した信号を出力し、かつ複数の無線装置から、複数の無線装置のそれぞれにおける第１オフセットの値を受けつけ、受けつけた第１オフセットの値をメモリに記憶させるステップをさらに備えてもよい。複数の無線装置のうちのひとつにおける発振周波数が、基準の発振周波数として規定されており、複数の無線装置のうちのひとつから、基準の発振周波数を有した信号を受けつけ、当該信号を他の無線装置に出力するステップと、複数の無線装置から、複数の無線装置のそれぞれにおける第１オフセットの値を受けつけ、受けつけた第１オフセットの値をメモリに記憶させるステップをさらに備えてもよい。導出するステップは、端末装置による第２無線装置との通信の要求を受けつけたときに、端末装置と第２無線装置との間の発振周波数のオフセットの値を導出してもよい。メモリには、第１無線装置と通信している端末装置に関する情報も記憶しており、メモリに記憶された端末装置に関する情報を第２無線装置に通知するステップをさらに備える。
【００１８】
なお、以上の構成要素の任意の組合せ、本発明の表現を方法、装置、システム、記録媒体、コンピュータプログラムなどの間で変換したものもまた、本発明の態様として有効である。
【発明の効果】
【００１９】
本発明によれば、周波数オフセットの推定の特性を向上できる。
【発明を実施するための最良の形態】
【００２０】
本発明を具体的に説明する前に、概要を述べる。本発明の実施例は、基地局装置の機能を無線装置と制御装置に分離させた通信システムに関する。前述のごとく、無線装置は、無線ネットワークを介して端末装置と通信する。また、制御装置は、一端において、無線装置と有線ネットワークを介して通信しつつ、他端において、通信網を接続し、無線ネットワークのチャネルと通信網のチャネルとの接続を実行する。なお、制御装置には、複数の無線装置が接続されている。
【００２１】
実施例に係る通信システムは、以上のような構成において、周波数オフセットの推定の特性を向上させることを目的とする。ここで、周波数オフセットの推定の特性とは、推定の精度、推定の期間、処理の簡易さ等の少なくともひとつを含む概念である。制御装置は、複数の無線装置のそれぞれにおける発振周波数と、基準の発振周波数との間との複数のオフセットの値（以下、複数のオフセットの値のすべてあるいはひとつを「無線装置オフセット値」という）を予め記憶している。さらに、制御装置は、ハンドオーバの切替元になる無線装置（以下、「切替元無線装置」という）と、端末装置との間の発振周波数のオフセットの値（以下、「切替元オフセット値」という）も記憶している。
【００２２】
端末装置は、制御装置にハンドオーバの要求を出力する。制御装置は、記憶した無線装置オフセット値をもとに、ハンドオーバの切替先になる無線装置（以下、「切替先無線装置」という）と切替元無線装置との間の発振周波数のオフセットの値（以下、「装置間オフセット値」という）を導出する。さらに、制御装置は、これに切替元オフセット値を考慮して、端末装置と切替先無線装置との間の発振周波数のオフセットの値（以下、「切替先オフセット値」という）を導出する。制御装置は、切替先オフセット値を切替先無線装置に通知する。切替先無線装置は、切替先オフセット値を初期値として、端末装置との間のオフセット値を導出する。
【００２３】
図１は、本発明の実施例と比較されるべき通信システム１００の構成を示す。図１の通信システム１００は、携帯電話システム、第二世代コードレス電話システムの構成に相当する。通信システム１００は、端末装置１０、基地局装置１２と総称される第１基地局装置１２ａ、第２基地局装置１２ｂ、第Ｎ基地局装置１２ｎ、公衆網１４を含む。
【００２４】
公衆網１４は、複数の基地局装置１２を接続する。また、公衆網１４は、交換機を備えており、通信経路を制御する。例えば、第１基地局装置１２ａに接続された端末装置１０から、信号を入力し、第２基地局装置１２ｂに接続された端末装置１０（図示せず）に、信号を出力する。さらに、公衆網１４は、別の通信システム１００と接続してもよい。
【００２５】
基地局装置１２は、有線側のインタフェースに公衆網１４を接続し、無線側のインタフェースに端末装置１０を接続する。また、基地局装置１２は、送受信機能と呼制御機能を有する。すなわち、基地局装置１２は、送受信機能によって、端末装置１０に対してデータを送受信し、呼制御機能によって、端末装置１０に割り当てたチャネルと、公衆網１４でのチャネルとを接続する。後者について、基地局装置１２は、複数のチャネルを規定しており、そのうちのいずれかを端末装置１０に割り当てる。なお、第二世代コードレス電話システムの場合、チャネルがスロットであってもよい。端末装置１０は、ひとつだけ図示されているが、複数であってもよい。また、公衆網１４でのチャネルは、Ｄチャネル、Ｂチャネルを含む。
【００２６】
図２は、本発明の実施例に係る通信システム１００の構成を示す。通信システム１００は、端末装置１０、基地局システム２０と総称される第１基地局システム２０ａ、第２基地局システム２０ｂ、第Ｎ基地局システム２０ｎ、公衆網１４を含む。また、基地局システム２０は、無線装置２２と総称される第１無線装置２２ａ、第２無線装置２２ｂ、第３無線装置２２ｃ、第４無線装置２２ｄ、ＬＡＮケーブル２６と総称される第１ＬＡＮケーブル２６ａ、第２ＬＡＮケーブル２６ｂ、第３ＬＡＮケーブル２６ｃ、第４ＬＡＮケーブル２６ｄ、制御装置２４を含む。図２の基地局システム２０は、図１の複数の基地局装置１２に相当する。
【００２７】
無線装置２２は、無線ネットワークでのチャネルを割り当てることによって、端末装置１０との通信を実行する。すなわち、図１の基地局装置１２での送受信機能を有する。そのため、無線装置２２は、増幅機能、周波数変換機能、変復調機能、誤り訂正機能、再送機能等を有する。無線装置２２は、複数のチャネルから構成されるフレームを規定している。ここで、フレームの構成は、第二世代コードレス電話システムにおけるフレームの構成と同一であるとする。しかしながら、無線装置２２は、呼制御機能を有していない。また、第１無線装置２２ａから第４無線装置２２ｄのうちのひとつは、基準装置として規定されている。ここでは、第１無線装置２２ａを基準装置とする。さらに、第１無線装置２２ａ以外の無線装置２２でのチャネルのタイミングは、第１無線装置２２ａでのチャネルのタイミングと同期されている。なお、第２基地局システム２０ｂ等も第１基地局システム２０ａのように複数の無線装置２２を備える。また、ひとつの基地局システム２０に備えられる無線装置２２の数は、「４」以外であってもよい。
【００２８】
制御装置２４は、一端に、ＬＡＮケーブル２６を介して複数の無線装置２２と接続し、他端に、公衆網１４と接続する。このような構成によって、制御装置２４は、複数の無線装置２２と通信する。また、制御装置２４は、呼制御機能によって、無線装置２２でのチャネルと公衆網１４でのチャネルとを接続する。さらに、制御装置２４は、端末装置１０がハンドオーバするときに、発振周波数のオフセットの値を推定するが、推定の特性を向上させるために、以下の動作を実行する。
【００２９】
制御装置２４は無線装置オフセット値と、切替元オフセット値とを予め記憶する。なお、これらの値の取得については、後述する。ここで、切替元無線装置２２を第１無線装置２２ａとし、切替先無線装置２２を第２無線装置２２ｂとする。端末装置１０が、後述のごとく、第２無線装置２２ｂとの通信を制御装置２４に要求する。制御装置２４は、記憶された無線装置オフセット値をもとに、第１無線装置２２ａと第２無線装置２２ｂとの間の発振周波数のオフセットの値、すなわち装置間オフセット値を導出する。さらに、装置間オフセット値に切替元オフセット値を反映させることによって、端末装置１０と第２無線装置２２ｂとの間の発振周波数のオフセットの値、すなわち切替先オフセット値を導出する。制御装置２４は、切替先オフセット値を第２無線装置２２ｂに通知する。第２無線装置２２ｂは、切替先オフセット値を初期値として、端末装置１０との間の発振周波数のオフセットの値を推定する。
【００３０】
図３は、通信システム１００による通話開始の手順を示すシーケンス図である。ここでは、図３を使用しながら、図１の通信システム１００と、図２の通信システム１００との差異を説明する。
【００３１】
第１無線装置２２ａは、端末装置１０に対して制御信号を送信する（Ｓ２００）。端末装置１０は、制御信号をもとに、第１無線装置２２ａとのタイミング同期を確立する（Ｓ２０２）。端末装置１０は、第１無線装置２２ａにリンクチャネル確立要求を送信する（Ｓ２０４）。第１無線装置２２ａは、端末装置１０にリンクチャネル割当を送信する（Ｓ２０６）。端末装置１０は、第１無線装置２２ａにＣＣ呼設定を送信する（Ｓ２０８）。第１無線装置２２ａは、制御装置２４に発信要求を送信する（Ｓ２０９）。制御装置２４は、第１無線装置２２ａに伝達能力通知を送信する（Ｓ２１０）。また、制御装置２４は、第１無線装置２２ａに発信確認を送信する（Ｓ２１１）。第１無線装置２２ａは、端末装置１０にＣＣ呼設定受付を送信する（Ｓ２１２）。端末装置１０は、第１無線装置２２ａにＲＴ定義情報要求を送信する（Ｓ２１３）。第１無線装置２２ａは、端末装置１０にＲＴ定義情報応答を送信する（Ｓ２１４）。
【００３２】
端末装置１０は、第１無線装置２２ａにＲＴ機能要求を送信する（Ｓ２１６）。第１無線装置２２ａは、端末装置１０にＲＴ機能要求応答を送信する（Ｓ２１８）。端末装置１０は、第１無線装置２２ａにＲＴ秘匿鍵設定を送信する（Ｓ２２０）。端末装置１０は、第１無線装置２２ａにＭＭ機能要求を送信する（Ｓ２２２）。第１無線装置２２ａは、端末装置１０にＭＭ機能要求応答を送信する（Ｓ２２４）。第１無線装置２２ａは、制御装置２４に認証開始を送信する（Ｓ２２６）。制御装置２４は、第１無線装置２２ａに認証要求を送信する（Ｓ２２８）。第１無線装置２２ａは、端末装置１０に認証要求を送信する（Ｓ２３０）。端末装置１０は、第１無線装置２２ａに認証応答を送信する（Ｓ２３２）。第１無線装置２２ａは、制御装置２４に認証応答を送信する（Ｓ２３４）。
【００３３】
制御装置２４は、公衆網１４に呼設定を送信する（Ｓ２３６）。公衆網１４は、制御装置２４に呼設定受付を送信する（Ｓ２３８）。以上の処理によって、第１無線装置２２ａでのチャネルと公衆網１４でのチャネルとが、接続される。公衆網１４は、制御装置２４に呼出を送信する（Ｓ２４０）。制御装置２４は、第１無線装置２２ａに呼出を送信する（Ｓ２４２）。第１無線装置２２ａは、端末装置１０にＣＣ呼出を送信する（Ｓ２４４）。公衆網１４は、制御装置２４に応答を送信する（Ｓ２４６）。制御装置２４は、第１無線装置２２ａに応答を送信する（Ｓ２４８）。第１無線装置２２ａは、端末装置１０にＣＣ応答を送信する（Ｓ２５０）。制御装置２４は、公衆網１４に応答確認を送信する（Ｓ２５２）。端末装置１０と公衆網１４とは、通話を実行する（Ｓ２５４）。
【００３４】
なお、図１の通信システム１００では、基地局装置１２が送受信機能と呼制御機能を両方とも有している。そのため、図３のうち、第１無線装置２２ａと制御装置２４との間の処理、例えば、ステップ２２６等が、基地局装置１２の内部にてなされる。一方、図２の通信システム１００では、無線装置２２が送受信機能を有し、制御装置２４が呼制御機能を有する。このような構成によって、無線装置２２は、基地局装置１２よりも簡易な構成を有する。また、複数の無線装置２２と制御装置２４を接続することによって、基地局システム２０は、複数の基地局装置１２よりも容易な構成を有する。
【００３５】
図４は、第１無線装置２２ａの構成を示す。第１無線装置２２ａは、ＲＦ部３０、変調部３２、端末装置用周波数オフセット補正部３４、復調部３６、処理部３８、ＬＡＮ−ＩＦ部４０、発振部４２、初期値設定部４４、無線装置用周波数オフセット推定部４６、基準信号入力部４８、制御部５０、基準信号ケーブル５２を含む。第１無線装置２２ａ以外の無線装置２２も、同様の機能を有する。
【００３６】
送受信機能を実行するために、発振部４２は、所定の周波数の信号を発振する。初期値設定部４４は、発振部４２において発振される信号の周波数の初期値を設定する。すなわち、初期値設定部４４には、ＬＡＮ−ＩＦ部４０を介して、図示しない制御装置２４から切替先オフセット値が入力される。初期値設定部４４は、発振部４２において発振される信号の周波数の初期値として、切替先オフセット値を使用する。例えば、切替先オフセット値が「１００ｋＨｚの増加」に相当していれば、初期値設定部４４は、発振部４２の発振周波数が「１００ｋＨｚ」増加するような電圧を発振部４２に印加する。これは、切替先オフセット値にしたがって、発振周波数が調節されることに相当する。このような処理は、第１無線装置２２ａが切替先無線装置２２となるタイミングにおいてなされる。
【００３７】
送受信機能のうちの受信に対する機能として、ＲＦ部３０は、無線ネットワークを介して、図示しない端末装置１０からの信号を受信し、受信した信号に対して周波数変換を実行する。ＲＦ部３０は、周波数変換を実行する際に、発振部４２から入力された信号を使用する。端末装置用周波数オフセット補正部３４は、ＲＦ部３０によって周波数変換された信号に含まれた周波数のオフセットを推定する。ここで、推定される周波数のオフセットの値は、発振部４２から発振される信号の周波数と、ＲＦ部３０にて受信される信号の周波数との間のオフセットの値に相当する。なお、周波数オフセットの推定方法は、公知の技術でよいので、ここでは、説明を省略する。また、推定される周波数のオフセットの値は、切替元オフセット値に相当する。端末装置用周波数オフセット補正部３４は、ＬＡＮ−ＩＦ部４０を介して、切替元オフセット値を出力する。また、端末装置用周波数オフセット補正部３４は、推定した周波数オフセットの値によって、周波数変換された信号の周波数オフセットを補正する。
【００３８】
復調部３６は、周波数オフセットの補正された信号を復調する。処理部３８は、復調された信号をＬＡＮ−ＩＦ部４０に出力する。一方、送受信機能のうちの送信に対する機能として、処理部３８は、ＬＡＮ−ＩＦ部４０から信号を受けつける。変調部３２は、受けつけた信号を変調する。ＲＦ部３０は、変調した信号に対して周波数変換を実行する。ここでも、ＲＦ部３０は、周波数変換を実行する際に、発振部４２から入力された信号を使用する。ＲＦ部３０は、無線ネットワークを介して、周波数変換された信号を図示しない端末装置１０に送信する。
【００３９】
基準信号入力部４８は、基準信号ケーブル５２と接続される。基準信号入力部４８には、図示しない制御装置２４から、基準の発振周波数の信号が入力される。基準信号入力部４８は、入力した信号を無線装置用周波数オフセット推定部４６に出力する。無線装置用周波数オフセット推定部４６は、発振部４２から発振される信号の周波数と、基準信号入力部４８から入力される信号の周波数との間の周波数オフセットの値を推定する。推定された周波数オフセットの値は、無線装置オフセット値に相当する。ここでも、周波数オフセットの推定方法は、公知の技術でよいので、説明を省略する。無線装置用周波数オフセット推定部４６は、ＬＡＮ−ＩＦ部４０を介して、推定した無線装置オフセット値を図示しない制御装置２４に出力する。制御部５０は、装置全体のタイミング等を制御する。
【００４０】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００４１】
図５は、制御装置２４の構成を示す。制御装置２４は、ＬＡＮ−ＩＦ部６０、処理部６２、公衆網ＩＦ部６４、記憶部６６、導出部６８、発振部７０、制御部７２を含む。ＬＡＮ−ＩＦ部６０は、ＬＡＮケーブル２６を介して、図示しない無線装置２２と接続する。図では、ひとつのＬＡＮケーブル２６を示したが、複数の無線装置２２に対応するように複数のＬＡＮケーブル２６がＬＡＮ−ＩＦ部６０に接続されてもよい。公衆網ＩＦ部６４は、公衆網１４と接続する。
【００４２】
処理部６２は、図示しない端末装置１０に対するチャネルと、図示しない公衆網１４でのチャネルとを接続する。このような接続によって、処理部６２は、通信対象の切替の制御を実行する。すなわち、公衆網ＩＦ部６４が公衆網１４から信号を受けつけたときに、信号に含まれた宛先にしたがって、処理部６２は、所定の無線装置２２に信号を出力する。記憶部６６は、処理部６２でのチャネルの割当の結果を記録する。以上の処理を実行する際に、処理部６２は、ＬＡＮ−ＩＦ部６０を介して、無線装置２２と通信する。
【００４３】
図６は、記憶部６６に記憶されたチャネルの情報のデータ構造を示す。図６に示したように、無線装置欄１１０、無線チャネル欄１１２、端末装置欄１１４、通信網チャネル欄１１６が含まれる。無線装置欄１１０は、制御装置２４に接続された無線装置２２を示す。ここでは、第１無線装置２２ａから第４無線装置２２ｄまでを含む。無線チャネル欄１１２は、無線装置２２において使用されているチャネルの番号を示す。端末装置欄１１４は、チャネルを割り当てられた端末装置１０を示す。例えば、第１無線装置２２ａでのチャネル「１」は、「第１端末装置」に割り当てられている。前述のごとく、フレームに含まれる複数のチャネルの構成は、第二世代コードレス電話システムと同一であるとするので、ひとつのフレームに８つのチャネルが含まれる。また、８つのチャネルのうちの４つが上り回線用のチャネルに対応しており、残りの４つが下り回線用のチャネルに対応する。また、ひとつの端末装置１０に対して、上り回線のチャネルと下り回線のチャネルをひとつずつ割り当てるので、ひとつのフレームあたり、４組のチャネルが存在する。ここでは、これを「１」から「４」と示す。通信網チャネル欄１１６は、無線チャネル欄１１２に示されたチャネルと接続される公衆網１４でのチャネルを示す。ここでは、「Ｘ１」、「Ｘ２」等と示される。
【００４４】
図５に戻る。また、記憶部６６は、複数の無線装置２２のそれぞれにおける複数の無線装置オフセット値と、端末装置１０に対する切替元オフセット値を記憶する。図７は、記憶部６６に記憶された周波数オフセットの値のデータ構造を示す。図７に示したように、対象欄１１８、オフセット値欄１２０が含まれる。対象欄１１８には、無線装置オフセット値、切替元オフセット値の対象となる無線装置２２の名称、端末装置１０の名称が示されている。例えば、「第１無線装置−基準」は、第１無線装置２２ａでの発振周波数と基準周波数との間のオフセット値に相当しており、これは、第１無線装置２２ａに対する無線装置オフセット値である。また、「第１無線装置−第１端末装置」は、第１無線装置２２ａと第１の端末装置１０との間の発振周波数のオフセット値に相当しており、これは、第１無線装置２２ａと第１の端末装置１０に対する切替元オフセット値である。オフセット値欄１２０には、オフセット値が示されている。例えば、「ｆ１」等が示されている。
【００４５】
図５に戻る。記憶部６６は、第１無線装置２２ａと通信している端末装置１０に関する情報も記憶している。「端末装置１０に関する情報」とは、通常のハンドオーバの際に、切替先の基地局装置１２と端末装置１０との間で交換されるべき情報である（以下、「切替情報」という）。これは、例えば、秘匿鍵等の情報を含む。ＬＡＮ−ＩＦ部６０を介して、処理部６２が端末装置１０のハンドオーバの要求を受けつけると、処理部６２は、以下のように動作する。ここで、ハンドオーバの要求は、第１無線装置２２ａとの接続を第２無線装置２２ｂとの接続に切りかえたい旨の要求であるとする。
【００４６】
導出部６８は、記憶部６６に記憶された複数の無線装置オフセット値をもとに、第１無線装置２２ａと第２無線装置２２ｂとの間の装置間オフセット値を導出しつつ、切替元オフセット値を反映させることによって、切替先オフセット値を導出する。具体的に説明すると、導出部６８は、記憶部６６から、第１無線装置２２ａに対する無線装置オフセット値θ１と第２無線装置２２ｂに対する無線装置オフセット値θ２を取得する。なお、周波数オフセットは、一般的にＨｚの単位によって示されるが、ここでの周波数オフセットは、サンプリング間隔の時間等を乗算することによって、位相の単位によって示されているものとする。導出部６８は、装置間オフセット値θ１２を次のように導出する。
θ１２＝θ１−θ２・・・（１）
【００４７】
また、切替元オフセット値は、θ３と示されるとする。なお、切替元オフセットは、第１無線装置２２ａの発振周波数に対する端末装置１０の発振周波数であるとする。導出部６８は、切替先オフセット値θ４を次のように導出する。
θ４＝θ１２＋θ３・・・（２）
切替先オフセット値θ４は、数式（２）のごとく、第２無線装置２２ｂの発振周波数に対する端末装置１０の発振周波数として示される。ＬＡＮ−ＩＦ部６０は、切替先オフセット値を第２無線装置２２ｂ、すなわち切替先無線装置２２に通知する。また、ＬＡＮ−ＩＦ部６０は、記憶部６６に記憶された切替情報も切替先無線装置２２に通知する。
【００４８】
発振部７０は、基準の発振周波数を有した信号を発振する。発振部７０は、複数の無線装置２２のそれぞれに、基準の発振周波数を有した信号を出力する。その際に、基準信号ケーブル５２を使用する。発振部７０は、常時、あるいは定期的に信号を発振すればよいものとする。また、ＬＡＮ−ＩＦ部６０は、複数の無線装置２２から、複数の無線装置２２のそれぞれにおける無線装置オフセット値を受けつけ、受けつけた無線装置オフセット値を記憶部６６に記憶させる。無線装置オフセット値は、定期的に、あるいはランダムにＬＡＮ−ＩＦ部６０に入力されるものとする。
【００４９】
図８は、本発明の実施例と比較されるべき図１の通信システム１００によるハンドオーバの手順を示すシーケンス図である。端末装置１０と第１基地局装置１２ａとは、通信を実行する（Ｓ４０）。端末装置１０は、第１基地局装置１２ａから第２基地局装置１２ｂに、ハンドオーバを実行する（Ｓ４２）。その際に、端末装置１０と第２基地局装置１２ｂとの間において伝送される制御信号については、後述する。第２基地局装置１２ｂは、端末装置１０との間の周波数オフセットを推定し（Ｓ４４）、周波数オフセットを補正する（Ｓ４６）。端末装置１０と第２基地局装置１２ｂとは、通信を実行する（Ｓ４８）。
【００５０】
以上の構成による図２の通信システム１００の動作を説明する。図９は、図２の通信システム１００によるハンドオーバの手順を示すシーケンス図である。端末装置１０と第１無線装置２２ａとが通信し（Ｓ６０）、さらに第１無線装置２２ａと制御装置２４も通信する（Ｓ６２）。これらの結果、端末装置１０と制御装置２４との間の通信が可能になる。端末装置１０は、第２無線装置２２ｂとの間において、ハンドオーバを実行し（Ｓ６４）、第２無線装置２２ｂは、制御装置２４との間において、ハンドオーバを実行する（Ｓ６６）。第２無線装置２２ｂを介して、制御装置２４が端末装置１０のハンドオーバの要求を受けつけると、制御装置２４は、切替先オフセット値を導出する（Ｓ６８）。制御装置２４は、第２無線装置２２ｂに、切替先オフセット値を通知する（Ｓ７０）。第２無線装置２２ｂは、切替先オフセット値を初期値として設定すると共に、周波数オフセットを補正する（Ｓ７２）。端末装置１０と第２無線装置２２ｂとが通信し（Ｓ７４）、さらに第２無線装置２２ｂと制御装置２４も通信する（Ｓ７６）。これらの結果、端末装置１０と制御装置２４との間の通信が可能になる。図８と比較すると、第２無線装置２２ｂは、切替先オフセット値を受けつけ、これを初期値とするので、周波数オフセットの推定期間が短縮される。
【００５１】
図１０は、制御装置２４によるハンドオーバの手順を示すフローチャートである。処理部６２は、端末装置１０からのハンドオーバの要求を受けつければ（Ｓ８０のＹ）、処理部６２は、要求を出力した端末装置１０を特定する（Ｓ８２）。処理部６２は、記憶部６６に切替先無線装置２２のデータを有していれば（Ｓ８４のＹ）、すなわち切替先無線装置２２を接続していれば、切替先オフセット値を導出する（Ｓ８６）。ＬＡＮ−ＩＦ部６０は、切替先無線装置２２に対して、切替先オフセット値を出力する（Ｓ８８）。さらに、ＬＡＮ−ＩＦ部６０は、切替先無線装置２２に対して、切替情報を出力する（Ｓ９０）。一方、処理部６２は、記憶部６６に切替先無線装置２２のデータを有していなければ（Ｓ８４のＮ）、公衆網１４を介して、周波数オフセットの値「０」を出力する（Ｓ９２）。処理部６２は、ハンドオーバの要求を受けつけなければ（Ｓ８０のＮ）、処理を終了する。
【００５２】
図１１は、無線装置２２によるハンドオーバの手順を示すフローチャートである。処理部３８は、端末装置１０からハンドオーバの要求を受けつけ（Ｓ１００のＹ）、ＬＡＮ−ＩＦ部４０は、制御装置２４から、切替先オフセット値を受けつける（Ｓ１０２）。初期値設定部４４は、制御装置２４から受けつけた切替先オフセット値を設定する（Ｓ１０４）。処理部３８は、制御装置２４から受けつけた切替情報を設定する（Ｓ１０６）。ＲＦ部３０、変調部３２、端末装置用周波数オフセット補正部３４、復調部３６、処理部３８は、通信を開始する（Ｓ１０８）。一方、処理部３８は、端末装置１０からハンドオーバの要求を受けつけなければ（Ｓ１００のＮ）、処理を終了する。
【００５３】
図１２は、本発明の実施例と比較されるべき通信システム１００によるハンドオーバの際の制御信号の送信手順を示すシーケンス図である。すなわち、図１の通信システム１００におけるハンドオーバの手順である。これは、第二世代コードレス電話システムにおける第１基地局装置１２ａから第２基地局装置１２ｂへのハンドオーバ処理に相当する。ここでは、図１２を使用しながら、本実施例での制御装置２４が、切替先無線装置２２に対して、記憶部６６に記憶した切替情報を通知することによる効果を説明する。
【００５４】
端末装置１０と第１基地局装置１２ａとは、通信を実行する（Ｓ１２０）。端末装置１０は、第２基地局装置１２ｂにリンクチャネル確立要求を送信する（Ｓ１２２）。第２基地局装置１２ｂは、端末装置１０にリンクチャネル割当を送信する（Ｓ１２４）。第１基地局装置１２ａは、同期バーストを送信する（Ｓ１２６）。端末装置１０は、第２基地局装置１２ｂに同期バーストを送信する（Ｓ１２８）。第２基地局装置１２ｂは、端末装置１０に同期バーストを送信する（Ｓ１３０）。端末装置１０は、第２基地局装置１２ｂにＳＡＢＭを送信する（Ｓ１３２）。第２基地局装置１２ｂは、端末装置１０にＵＡを送信する（Ｓ１３４）。端末装置１０は、第２基地局装置１２ｂに呼設定を送信する（Ｓ１３６）。第２基地局装置１２ｂは、端末装置１０に呼設定受付を送信する（Ｓ１３８）。端末装置１０は、第２基地局装置１２ｂに機能要求を送信する（Ｓ１４０）。
【００５５】
第２基地局装置１２ｂは、端末装置１０に機能要求応答を送信する（Ｓ１４２）。端末装置１０は、第２基地局装置１２ｂに秘匿鍵設定を送信する（Ｓ１４４）。端末装置１０は、第２基地局装置１２ｂに機能要求を送信する（Ｓ１４６）。第２基地局装置１２ｂは、端末装置１０に機能要求応答を送信する（Ｓ１４８）。第２基地局装置１２ｂは、端末装置１０に認証要求を送信する（Ｓ１５０）。端末装置１０は、第２基地局装置１２ｂに認証応答を送信する（Ｓ１５２）。第２基地局装置１２ｂは、端末装置１０にＤＩＳＣを送信する（Ｓ１５４）。端末装置１０は、第２基地局装置１２ｂにＵＡを送信する（Ｓ１５６）。第２基地局装置１２ｂは、端末装置１０に応答を送信する（Ｓ１５８）。端末装置１０と第２基地局装置１２ｂは、通信を実行する（Ｓ１６０）。
【００５６】
本実施例に係る通信システム１００に、これらの制御信号を適用させる。端末装置１０と切替先無線装置２２とが接続される際に、リンクチャネル確立要求、リンクチャネル割当、同期バーストが、送信される。一方、切替先無線装置２２は、制御装置２４から、呼設定から認証応答までに対応した切替情報を通知されるので、それらのうちのいずれかについて、端末装置１０と切替先無線装置２２との間の通信が不要になる。その結果、本実施例によれば、ハンドオーバの処理のための期間が短縮される。
【００５７】
本発明の実施例によれば、制御装置が、切替先オフセット値を導出し、これを切替先無線装置に通知するので、切替先無線装置が、切替先オフセット値を初期値として使用すれば、切替先無線装置での周波数オフセットの推定の特性を向上できる。また、切替先無線装置は、切替先オフセット値を初期値として使用するので、周波数オフセットの推定期間を短縮できる。また、切替先無線装置は、切替先オフセット値を初期値として使用するので、周波数オフセットの推定精度を向上できる。また、周波数オフセットの推定期間が短縮されるので、端末装置と切替先無線装置との接続に要する期間が短縮される。また、周波数オフセットの推定精度が向上されるので、端末装置と切替先無線装置との間の通信品質を向上できる。
【００５８】
また、制御装置に接続された無線装置に対する無線装置オフセット値を予め記憶させるので、必要に応じて、無線装置オフセット値を使用できる。また、端末装置に関する情報として、切替先無線装置が端末装置と接続するために必要な情報が記憶されていれば、切替先無線装置と端末装置とが接続する際の制御信号の少なくとも一部を省略できる。また、切替先無線装置と端末装置とが接続する際の制御信号の少なくとも一部が省略されるので、切替先無線装置と端末装置との接続の処理に要する期間を短縮できる。また、ハンドオーバの処理を短縮できる。また、信号の利用効率を低減できる。
【００５９】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００６０】
本発明の実施例において、制御装置２４は、発振部７０を備え、発振部７０が基準となる発振周波数の信号を発振している。しかしながらこれに限らず例えば、複数の無線装置２２のうちのひとつにおける発振周波数が、基準の発振周波数として規定されていてもよい。この場合、制御装置２４のＬＡＮ−ＩＦ部６０は、複数の無線装置２２のうちのひとつから、基準の発振周波数を有した信号を受けつける。ＬＡＮ−ＩＦ部６０は、当該信号を他の無線装置２２に出力し、かつ複数の無線装置２２から、複数の無線装置２２のそれぞれにおける無線装置オフセット値を受けつける。記憶部６６は、受けつけた無線装置オフセット値を記憶する。本変形例によれば、ひとつの無線装置２２における発振周波数を基準の発振周波数とするので、基準の発振周波数を出力させるための発振器を不要にできる。つまり、すべての無線装置２２に入力される発振周波数が基準とされればよい。
【００６１】
本発明の実施例において、制御装置２４は、切替先無線装置２２から、端末装置１０のハンドオーバの要求を受けつける。しかしながらこれに限らず例えば、端末装置１０と切替先無線装置２２がハンドオーバの処理を実行する前に、制御装置２４は、切替元無線装置２２から、端末装置１０のハンドオーバの要求を受けつけてもよい。要求を受けつけた制御装置２４は、切替先オフセット値や切替情報を切替先無線装置２２に出力する。切替先無線装置２２は、切替先オフセット値を初期値として設定してから、端末装置１０とのハンドオーバ処理を実行できる。本変形例によれば、ハンドオーバの処理を短縮できる。つまり、いかなるタイミングであれ、切替先オフセット値が切替先無線装置２２に入力されればよい。
【図面の簡単な説明】
【００６２】
【図１】本発明の実施例と比較されるべき通信システムの構成を示す図である。
【図２】本発明の実施例に係る通信システムの構成を示す図である。
【図３】通信システムによる通話開始の手順を示すシーケンス図である。
【図４】図２の第１無線装置の構成を示す図である。
【図５】図２の制御装置の構成を示す図である。
【図６】図５の記憶部に記憶されたチャネルの情報のデータ構造を示す図である。
【図７】図５の記憶部に記憶された周波数オフセットの値のデータ構造を示す図である。
【図８】図１の通信システムによるハンドオーバの手順を示すシーケンス図である。
【図９】図２の通信システムによるハンドオーバの手順を示すシーケンス図である。
【図１０】図２の制御装置によるハンドオーバの手順を示すフローチャートである。
【図１１】図２の無線装置によるハンドオーバの手順を示すフローチャートである。
【図１２】図１の通信システムによるハンドオーバの際の制御信号の送信手順を示すシーケンス図である。
【符号の説明】
【００６３】
１０  端末装置、  １４  公衆網、  ２０  基地局システム、  ２２  無線装置、  ２４  制御装置、  ２６  ＬＡＮケーブル、  ３０  ＲＦ部、  ３２  変調部、  ３４  端末装置用周波数オフセット補正部、  ３６  復調部、  ３８  処理部、  ４０  ＬＡＮ−ＩＦ部、  ４２  発振部、  ４４  初期値設定部、  ４６  無線装置用周波数オフセット推定部、  ４８  基準信号入力部、  ５０  制御部、  ５２  基準信号ケーブル、  ６０  ＬＡＮ−ＩＦ部、  ６２  処理部、  ６４  公衆網ＩＦ部、  ６６  記憶部、  ６８  導出部、  ７０  発振部、  ７２  制御部、  １００  通信システム。
【図１】
2006246159.tif 000003
【図２】
2006246159.tif 000004
【図３】
2006246159.tif 000005
【図４】
2006246159.tif 000006
【図５】
2006246159.tif 000007
【図６】
2006246159.tif 000008
【図７】
2006246159.tif 000009
【図８】
2006246159.tif 000010
【図９】
2006246159.tif 000011
【図１０】
2006246159.tif 000012
【図１１】
2006246159.tif 000013
【図１２】
2006246159.tif 000014